(57)【要約】【課題】濾過部材の交換時期表示を少ない部品点数で且つ優れた組立性で得ることができるものとする。【解決手段】濾過部材の交換時期表示用の表示体４を備えるとともに回転自在に保持されている上記表示体４を位置決めする位置決め手段を備える。上記位置決め手段は、表示体４の同心円上に等間隔で設けられた複数の被係合部４１と、表示体４を回転自在に保持する本体に設けられた係合部５５と、表示体４もしくは本体の少なくとも一方に一体に形成されて被係合部４１と係合部５５とを係合させる弾性を発揮する弾性片５２とからなる。表示体４の回転位置決めを本体もしくは表示体と一体の部材で行う。【選択図】  図１
2004237193.tif 000002
【特許請求の範囲】
【請求項１】
濾過部材の交換時期表示用の表示体を備えるとともに回転自在に保持されている上記表示体を位置決めする位置決め手段を備えている浄水器であって、上記位置決め手段は、表示体の同心円上に等間隔で設けられた複数の被係合部と、表示体を回転自在に保持する本体に設けられた係合部と、表示体もしくは本体の少なくとも一方に一体に形成されて被係合部と係合部とを係合させる弾性を発揮する弾性片とから成ることを特徴とする浄水器。
【請求項２】
表示体に形成された複数の被係合部間には被係合部間を滑らかにつなぐとともに表示体の回転時に係合部が摺動する突条が設けられていることを特徴とする請求項１記載の浄水器。
【発明の詳細な説明】
【０００１】
【発明の属する技術分野】
本発明は浄水器、殊に濾過部材の交換時期を表示する表示部を備えている浄水器に関するものである。
【０００２】
【従来の技術】
浄水器における濾過部材は、長期にわたる使用での濾過性能の低下に対応するために交換可能に構成されているが、使用者にしてみれば、交換時期を判断し難いことから、次に濾過部材を交換すべき時期を表示する表示部を設けた浄水器が提供されている。
【０００３】
実公平６−１４８７１号公報（特許文献１）に示されたこの浄水器は、軸回りに回転させることができるようにした表示体に１月から１２月までの表示を円周上に設けており、最初の使用時及び濾過部材の交換を行った時に上記表示体を回転させて、次に濾過部材を交換すべき月をセットすることができるようになっている。
【０００４】
ここにおいて、上記表示体が不用意に回転してしまっては交換すべき時期がセットした時期と異なった時期となってしまうことから、上記公報に示されたものにおいては、軸回りに回転自在となっている表示体を軸方向にスライド自在に保持するとともに、圧縮コイルばねによる表示体の軸方向付勢によって表示体に設けた係合部が浄水器の本体に係合して回転についてロックされるようにしているとともに、表示体をばね付勢に抗して軸方向に押し込んだ状態では表示体を回転させることができるようにしている。
【０００５】
【特許文献１】
実公平６−１４８７１号公報
【０００６】
【発明が解決しようとする課題】
このものでは、交換時期を記入したシールを貼ったりする場合に比して、次の交換時期のセットを簡単に行うことができるが、上記公報に示されたものにおいては、部品点数が多く、構造も複雑であるために、コスト的に問題がある。
【０００７】
本発明はこのような点に鑑みなされたものであって、その目的とするところは濾過部材の交換時期表示を少ない部品点数で且つ優れた組立性で得ることができる浄水器を提供するにある。
【０００８】
【課題を解決するための手段】
しかして本発明は、濾過部材の交換時期表示用の表示体を備えるとともに回転自在に保持されている上記表示体を位置決めする位置決め手段を備えている浄水器であって、上記位置決め手段は、表示体の同心円上に等間隔で設けられた複数の被係合部と、表示体を回転自在に保持する本体に設けられた係合部と、表示体もしくは本体の少なくとも一方に一体に形成されて被係合部と係合部とを係合させる弾性を発揮する弾性片とから成ることに特徴を有している。表示体の回転位置決めを表示体もしくは本体と一体の部材で行うようにしたものである。
【０００９】
上記表示体に形成された複数の被係合部間に、被係合部間を滑らかにつなぐとともに表示体の回転時に係合部が摺動する突条を設けておいてもよい。交換時期表示の変更をよりスムーズに行うことができる。
【００１０】
【発明の実施の形態】
以下本発明を実施の形態の一例に基づいて詳述すると、図２に示す浄水器は、水栓への取付用の取付部１０を上面に備えるとともに両側面に切換レバー１１，１１が配されている弁部１の後方に濾過部２を配したもので、上記弁部１は、その切換レバー１１の操作により、上記取付部１０から流入する原水を下面中央に位置する吐水口に直接流す状態と、同じく原水を下面に位置するシャワー用吐水口から吐出する状態と、取付部１０から流入した原水を濾過部２に送って濾過部２で濾過した後の浄水を浄水用吐水口１２から吐出する状態の３状態を切り換える。図中１３は切換状態を表示するための窓である。
【００１１】
濾過部２は上記弁部１と一体に構成されている保持部２０と、この保持部２０に連結される円筒状のカートリッジ３とからなるもので、濾過部材はカートリッジ３内に納められており、濾過部材の交換はこのカートリッジ３の取り換えによって行うものとなっている。
【００１２】
上記保持部２０は図１に示すように、カートリッジ３の螺合連結用のねじ部２１や、弁部１内の水路とカートリッジ３内の水路とを連結する複数の連結管部２２とを片面に備え、他面側に表示体４が配されたもので、その外面には上下に分割されているとともに弁部１と保持部２０とに跨って被せられた本体カバー５が配されている。
【００１３】
本体カバー５で外周が囲まれることで軸回りの回転が自在となるように保持されている上記表示体４は、その外側の側面に回転操作の際の指掛けとなる複数の操作部４０が凹所として形成され、内側の側面に１２個の係合凹部４１が同一円周上に等間隔に形成されたもので、外周面には１〜１２の数字が等間隔で記されている。この数字は上記本体カバー５に設けた窓５０に臨んでカートリッジ３の交換時期（交換月）を表示する。
【００１４】
そして、この浄水器における上記表示体４は、その係合凹部４１に本体カバー５に設けた突部５５が係合することで、表示体４に記された数字が窓５０に臨む位置で保持されるとともに表示体４が不用意に回転することがないようにされているのであるが、ここにおける突部５５は、本体カバー５と一体である隔壁部５１に図４に示すＵ字状の切り欠き５３を形成することで隔壁５１と一体に設けられている弾性片５２上に存在している。なお、表示体４の係合凹部４１に弾性片５２が有しているばね性によって係合して表示体４の回転を防ぐ突部５５は、弾性片５２と共に本体カバー５に一体に設けられたものでも、別体として形成されて弾性片５２に取り付けられたものであってもよいが、部品点数の削減の点からは弾性片５２と一体であることが望ましい。
【００１５】
また、上記周方向に並んでいる係合凹部４１は、隣の係合凹部４１との間隔が大きいことから、ここでは隣接する係合凹部４１，４１間を突条４３でつないである。表示体４に回転方向の力を加えることで、突部５５を弾性片５２にばね付勢に抗して押し戻して表示体４を回転させる際、突部５５が突条４３上を摺動して隣接する係合凹部４１にスムーズに係合するように、上記突条４３は表示体４の回転中心を中心とする円弧状となっている。
【００１６】
なお、表示体４には月単位で交換時期を表示するために１〜１２の数字を記してあるが、対応する係合凹部４１の数は１２個のほか、２４個設けていてもよい。また、表示体４の直径が大きい場合など、１〜１２の数字を２組設けるとともに係合凹部４１を２４個設けるようにしてもよい。
【００１７】
また、図示例では突部５５及び弾性片５２を２つ設けているが、１つであっても更に多く設けていてもよい。なお、複数設ける場合は周方向において等間隔に並ぶようにしておくことが好ましい。被係合部である係合凹部４１と係合部である突部５５とを係合させる弾性を発揮する弾性片５２は、表示体４側に表示体４と一体に設けてもよいのはもちろんであり、更には表示体４と本体カバー５の双方に夫々一体の弾性片を設けてもよい。
【００１８】
【発明の効果】
以上のように本発明においては、濾過部材の交換時期表示用の表示体を備えるとともに回転自在に保持されている上記表示体を位置決めする位置決め手段を備えている浄水器において、上記位置決め手段は、表示体の同心円上に等間隔で設けられた複数の被係合部と、表示体を回転自在に保持する本体に設けられた係合部と、表示体もしくは本体の少なくとも一方に一体に形成されて被係合部と係合部とを係合させる弾性を発揮する弾性片とからなり、表示体の回転位置決めを本体もしくは表示体と一体の部材で行うことから、交換時期表示のための部材としては表示体を追加するだけでよく、部品点数が少なくて構造が簡単であり且つ組立性も優れたものとなっている。
【００１９】
そして上記表示体に形成された複数の被係合部間に、被係合部間を滑らかにつなぐとともに表示体の回転時に係合部が摺動する突条を設けておいてもよい。交換時期表示の変更をよりスムーズに行うことができる。
【図面の簡単な説明】
【図１】本発明の実施の形態の一例の破断背面図である。
【図２】同上の斜視図である。
【図３】同上の表示体の正面図である。
【図４】同上の本体カバーにおける表示体取付部の正面図である。
【符号の説明】
１  弁部
２  濾過部
３  カートリッジ
４  表示体
４１  係合凹部
５２  弾性片
５５  突部
【図１】
2004237193.tif 000003
【図２】
2004237193.tif 000004
【図３】
2004237193.tif 000005
【図４】
2004237193.tif 000006